【手続補正書】
【提出日】平成17年2月15日(2005.2.15)
【手続補正１】
【補正対象書類名】明細書
【補正対象項目名】発明の名称
【補正方法】変更
【補正の内容】
【発明の名称】直列多重パルス幅変調サイクロコンバータ装置およびその制御方法
【手続補正２】
【補正対象書類名】明細書
【補正対象項目名】特許請求の範囲
【補正方法】変更
【補正の内容】
【特許請求の範囲】
【請求項１】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置であって、
１つの出力相を構成する前記各交流電源のうち、少なくとも２以上の交流電源は相互に電気角位相差を有し、
前記相互に電気角位相差を有する交流電源を入力とするパルス幅変調サイクロコンバータ装置に対して互いに異なる電圧を出力させて１の交流電源電圧のｎ×０．８６６倍を超える電圧を出力する直列多重パルス幅変調サイクロコンバータ装置。
【請求項２】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置であって、
１つの出力相を構成する前記各交流電源のうち、少なくとも２以上の交流電源は相互に電気角位相差を有し、
前記相互に電気角位相差を有する交流電源を入力とするパルス幅変調サイクロコンバータ装置に対し、前記相互に電気角位相差を有する各交流電源の最大線間電圧の大小関係に基づいて互いに異なる電圧を出力させる直列多重パルス幅変調サイクロコンバータ装置。
【請求項３】
前記相互に電気角位相差を有する交流電源を入力とするパルス幅変調サイクロコンバータ装置に対し、前記相互に電気角位相差を有する各交流電源の最大線間電圧に基づく大小関係を有した電圧を出力させることを特徴とする請求項２記載の直列多重パルス幅変調サイクロコンバータ装置。
【請求項４】
前記１つの出力相を構成する各パルス幅変調サイクロコンバータ装置に同位相の交流電圧を出力させることを特徴とする請求項１ないし請求項３のいずれか１項に記載の直列多重パルス幅変調サイクロコンバータ装置。
【請求項５】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置であって、
１つの出力相を構成する前記各交流電源のうち、少なくとも２以上の交流電源は相互に電気角位相差を有し、
前記相互に電気角位相差を有する交流電源を入力とするパルス幅変調サイクロコンバータ装置に対し互いに異なる電圧指令を出力して、１の交流電源電圧のｎ×０．８６６倍を超える電圧を出力する直列多重パルス幅変調サイクロコンバータ装置。
【請求項６】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置であって、
１つの出力相を構成する前記各交流電源のうち、少なくとも２以上の交流電源は相互に電気角位相差を有し、
前記相互に電気角位相差を有する各交流電源の最大線間電圧に基づいて、前記相互に電気角位相差を有する交流電源を入力とするパルス幅変調サイクロコンバータ装置に対し、互いに異なる電圧指令を出力する直列多重パルス幅変調サイクロコンバータ装置。
【請求項７】
前記相互に電気角位相差を有する各交流電源の最大線間電圧の大小関係に基づいて、前記相互に電気角位相差を有する交流電源を入力とするパルス幅変調サイクロコンバータ装置に対し、互いに異なる電圧指令を出力することを特徴とする請求項６記載の直列多重パルス幅変調サイクロコンバータ装置。
【請求項８】
前記相互に電気角位相差を有する交流電源を入力とするパルス幅変調サイクロコンバータ装置に対し、前記相互に電気角位相差を有する各交流電源の最大線間電圧に基づく大小関係を有した電圧指令を出力することを特徴とする請求項６記載の直列多重パルス幅変調サイクロコンバータ装置。
【請求項９】
１つの出力相を構成する前記各交流電源の最大線間電圧の合計と各交流電源の最大線間電圧との比率に基づいて、１つの出力相を構成する各パルス幅変調サイクロコンバータ装置に対して電圧指令を出力することを特徴とする請求項６記載の直列多重パルス幅変調サイクロコンバータ装置。
【請求項１０】
１つの出力相を構成する各パルス幅変調サイクロコンバータ装置に同位相の交流電圧指令を出力することを特徴とする請求項６ないし請求項９のいずれか１項に記載の直列多重パルス幅変調サイクロコンバータ装置。
【請求項１１】
１つの出力相を構成する前記各交流電源は相互に６０度÷ｋ（１≦ｋ≦ｎ）の電気角位相差を有することを特徴とする請求項１ないし請求項１０のいずれか１項に記載の直列多重パルス幅変調サイクロコンバータ装置。
【請求項１２】
１つの出力相を構成する前記各交流電源につき、他の相も前記各交流電源と同位相の交流電源を備えていることを特徴とする請求項１ないし請求項１１のいずれか１項に記載の直列多重パルス幅変調サイクロコンバータ装置。
【請求項１３】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置において、
１つの出力相を構成する前記各交流電源のうち、少なくとも２以上の交流電源について相互に電気角位相差を設定し、
前記相互に電気角位相差を有する交流電源を入力とするパルス幅変調サイクロコンバータ装置に対して互いに異なる電圧を出力させ、
１つの交流電源電圧のｎ×０．８６６倍を超える電圧を出力することを特徴とする直列多重パルス幅変調サイクロコンバータ装置の制御方法。
【請求項１４】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置において、
１つの出力相を構成する前記各交流電源のうち、少なくとも２以上の交流電源は相互に電気角位相差を設定し、
前記相互に電気角位相差を有する各交流電源の最大線間電圧に基づいて、前記相互に電気角位相差を有する交流電源を入力とするパルス幅変調サイクロコンバータ装置に対して互いに異なる電圧を出力させることを特徴とする直列多重パルス幅変調サイクロコンバータ装置の制御方法。
【請求項１５】
前記相互に電気角位相差を有する各交流電源の最大線間電圧の大小関係に基づいて、前記相互に電気角位相差を有する交流電源を入力とするパルス幅変調サイクロコンバータ装置に対して互いに異なる電圧を出力させることを特徴とする請求項１４記載の直列多重パルス幅変調サイクロコンバータ装置の制御方法。
【請求項１６】
前記相互に電気角位相差を有する各交流電源を入力とするパルス幅変調サイクロコンバータ装置に対し、前記相互に電気角位相差を有する各交流電源の最大線間電圧に基づく大小関係を有した電圧を出力させることを特徴とする請求項１４記載の直列多重パルス幅変調サイクロコンバータ装置の制御方法。
【請求項１７】
前記１つの出力相を構成する各パルス幅変調サイクロコンバータ装置に同位相の交流電圧を出力させることを特徴とする請求項１３ないし請求項１６のいずれか１項に記載の直列多重パルス幅変調サイクロコンバータ装置の制御方法。
【請求項１８】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置において、
１つの出力相を構成する前記各交流電源のうち、少なくとも２以上の交流電源について相互に電気角位相差を設定し、
前記相互に電気角位相差を有する交流電源を入力とするパルス幅変調サイクロコンバータ装置に対して互いに異なる電圧指令を出力し、
１の交流電源電圧のｎ×０．８６６倍を超える電圧を出力することを特徴とする直列多重パルス幅変調サイクロコンバータ装置の制御方法。
【請求項１９】
相互に絶縁された交流電源を入力とする各パルス幅変調サイクロコンバータ装置の出力をｎ個（ｎは２以上）直列接続して構成した出力相を１以上備える直列多重パルス幅変調サイクロコンバータ装置において、
１つの出力相を構成する前記各交流電源のうち、少なくとも２以上の交流電源について相互に電気角位相差を設定し、
前記相互に電気角位相差を有する各交流電源の最大線間電圧に基づいて、前記相互に電気角位相差を有する交流電源を入力とするパルス幅変調サイクロコンバータ装置に対して互いに異なる電圧指令を出力し、
前記電圧指令に基づいて前記パルス幅変調サイクロコンバータ装置を運転することを特徴とする直列多重パルス幅変調サイクロコンバータ装置の制御方法。
【請求項２０】
前記相互に電気角位相差を有する各交流電源の最大線間電圧の大小関係に基づいて、前記相互に電気角位相差を有する交流電源を入力とするパルス幅変調サイクロコンバータ装置に対して互いに異なる電圧指令を出力することを特徴とする請求項１９記載の直列多重パルス幅変調サイクロコンバータ装置の制御方法。
【請求項２１】
前記相互に電気角位相差を有する交流電源を入力とするパルス幅変調サイクロコンバータ装置に対して、前記相互に電気角位相差を有する各交流電源の最大線間電圧に基づく大小関係を有した電圧指令を出力することを特徴とする請求項１９記載の直列多重パルス幅変調サイクロコンバータ装置の制御方法。
【請求項２２】
１つの出力相を構成する前記各交流電源の最大線間電圧の合計と各交流電源の最大線間電圧との比率に基づいて、１つの出力相を構成する各パルス幅変調サイクロコンバータ装置に電圧指令を出力することを特徴とする請求項１９記載の直列多重パルス幅変調サイクロコンバータ装置の制御方法。
【請求項２３】
前記１つの出力相を構成する各パルス幅変調サイクロコンバータ装置に同位相の交流電圧指令を出力することを特徴とする請求項１８ないし請求項２２のいずれか１項に記載の直列多重パルス幅変調サイクロコンバータ装置の制御方法。
【請求項２４】
１つの出力相を構成する前記各交流電源は相互に６０度÷ｋ（１≦ｋ≦ｎ）の電気角位相差を有するように設定したことを特徴とする請求項１３ないし請求項２３のいずれか１項に記載の直列多重パルス幅変調サイクロコンバータ装置の制御方法。